(57)【特許請求の範囲】
【請求項１】
低周波電流を人体に流すための導子と、この導子を治療器本体と接続する導子コードと、前記導子及び前記治療器本体を収納する収納ケースとを備え、前記導子コードを前記治療器本体内に巻き取るコード巻取り機構と、を備えた低周波治療器において、
前記導子コードは、前記コード巻取り機構によるコード巻取り長さを位置決めするためのストッパを有し、
前記導子は、前記導子コードを接続する接続端子部を有し、
前記収納ケースは、前記導子を収納配置して前記接続端子部を配置する位置決め機構を有し、
前記治療器本体は、前記収納ケースに収納されたときに前記導子の接続端子部に対向する面を前記接続端子部と略同形状としたことを特徴とする低周波治療器。
【請求項２】
前記収納ケースは、該治療器本体に設けられたコード巻取り口付近に、前記治療器本体を収納した状態で前記導子コードが入る隙間を有することを特徴とする請求項１に記載の低周波治療器。
【請求項３】
前記収納ケースは、前記治療器本体を収納した状態で、該治療器本体に設けられたコード巻取り口付近に切欠きを有することを特徴とする請求項１に記載の低周波治療器。
【請求項４】
前記収納ケースは、前記導子を収納配置する位置決め機構を有することを特徴とする請求項１に記載の低周波治療器。
【発明の詳細な説明】
【技術分野】
【０００１】
本発明は、人体に電気的な刺激を与え、凝り、痛み、こり等の治療を行う低周波治療器に関する。
【背景技術】
【０００２】
従来から、人体の治療部位に低周波パルス電圧を印加して治療を行なう低周波治療器がある。この種の低周波治療器において、導子と、導子を本体と接続するコードと、このコードを本体内部又は別体収納部に自動巻き取り可能なコード巻取り機構とを有したものがある。例えば、特許文献１に示されるように、本体内部に導子コードを巻き取る巻取装置と、この巻取装置の巻取り方向を含む平面に沿ってスライド自在な粘着パッド収納プレートを設けたものが知られている。
【０００３】
ところが、このような低周波治療器においては、導子（粘着パッド）を収納する粘着パッド収納プレートも含めた収納部が治療器本体と一体型となっているため、この治療器本体が必要以上に大きくなり、治療時に使い難いものになってしまうという問題があった。また、収納部サイズを小さくしようとすると、導子の大きさを小さくする必要があり、このため、導子を治療部位にきちんと貼り付けなければ、十分な治療効果が得られないことになる。
【特許文献１】実開平５−２９５４７号公報
【発明の開示】
【発明が解決しようとする課題】
【０００４】
本発明は、上記問題を解決するためになされたものであり、治療器本体に導子コードのコード巻取り機構を有して、導子を収納する収納ケースを治療器本体と別体とすることにより、本体サイズを必要最小限とし、かつ、導子を簡単に収納することができる低周波治療器を提供することを目的とする。
【課題を解決するための手段】
【０００５】
上記目的を達成するために請求項１の発明は、低周波電流を人体に流すための導子と、この導子を治療器本体と接続する導子コードと、前記導子及び前記治療器本体を収納する収納ケースとを備え、前記導子コードを前記治療器本体内に巻き取るコード巻取り機構と、を備えた低周波治療器において、前記導子コードは、前記コード巻取り機構によるコード巻取り長さを位置決めするためのストッパを有し、前記導子は、前記導子コードを接続する接続端子部を有し、前記収納ケースは、前記導子を収納配置して前記接続端子部を配置する位置決め機構を有し、前記治療器本体は、前記収納ケースに収納されたときに前記導子の接続端子部に対向する面を前記接続端子部と略同形状としたものである。
【０００６】
請求項２の発明は、請求項１に記載の低周波治療器において、前記収納ケースは、該治療器本体に設けられたコード巻取り口付近に、前記治療器本体を収納した状態で前記導子コードが入る隙間を有するものである。
【０００７】
請求項３の発明は、請求項１に記載の低周波治療器において、前記収納ケースは、前記治療器本体を収納した状態で、該治療器本体に設けられたコード巻取り口付近に切欠きを有するものである。
【０００８】
請求項４の発明は、請求項１に記載の低周波治療器において、前記収納ケースは、前記導子を収納配置する位置決め機構を有するものである。
【発明の効果】
【００１０】
請求項１の発明によれば、導子コードを収納する本体とは別に、導子を収納する収納ケースを有することにより、本体サイズを必要最小限に小型化でき、かつ、収納時に、導子コードを収納ケースに収納し易いコード長さに止めることができるので、簡単に導子を収納することができる。また、収納時の本体と収納ケースとの全体の厚みを薄くすることができるので、治療器全体の省スペース保管が可能となる。
【００１１】
請求項２の発明によれば、コード巻取り口付近でコードを自由に曲げられるので、本体と導子を収納ケースに収納時に導子コードを本体と収納ケースの間に挟み込むことを防止することができる。
【００１２】
請求項３の発明によれば、本体を収納ケースに収納時に導子コードの挟み込みを防止できると共に、本体と収納ケースを分離せず一体の状態で切欠き部から導子コードを本体の外部に引き出せるので、本体を収納ケースに置いたままでも使用することができ、使用スペースが小さくなり、使用利便性が高まる。
【００１３】
請求項４の発明によれば、収納時における導子の位置決めができるため、導子コードの挟み込み等がなく、より収納し易くなる。
【発明を実施するための最良の形態】
【００１５】
本発明の第１の実施形態に係る低周波治療器について図面を参照して説明する。図１は、本実施形態の低周波治療器１０の外観を示し、図２は、同治療器１０の上面から見た図を示し、図３は、同治療器１０の筐体２を示す。図１において、低周波治療器１０は、筐体２と操作板３を有する治療器本体１（以下、本体という）と、低周波電流を人体に流すための導子４と、本体１及び導子４を収納する収納ケース５とを備え、導子４は、導子４と本体１とを接続する導子コード６を有し、この導子コード６には、コードの巻取り長さを規制するストッパ７が設けられている。また、筐体２は、本体１の各種低周波治療に必要な機能部を含むハウジングであり、操作板３は、本体１の上面に配設されて筐体２のカバーとなり、本体１を操作のための表示部３ａ、動作選択スイッチ３ｂ、治療範囲設定スイッチ３ｃ、電源スイッチ３ｄ等を備える。
【００１６】
図２に示すように、導子４は、この導子４を人体に貼り付ける導子パッド４１と、導子パッド４１に導子コード６を接続する山形状の接続端子部４２とを有している。各導子４は、紙面の左側（Ａ側）に２個、右側（Ｂ側）に２個ずつの４本の導子コード６により本体１と接続されている。本体１は、操作板３での操作により選択された４つの導子４の中の任意の何れか２つに低周波出力を加え、その選択された導子間に電流を流すよう設定されている。
【００１７】
また、図３に示すように、筐体２は、筐体２を形成する略矩形の周壁２１を有し、この周壁２１は、導子４の挿入側の正面の側面２１ａと、裏面側の側面２１ｂと、それら側面を接続する２つの側面２１ｃとを備えている。また、筐体２は、Ａ側とＢ側の各導子コード６を筐体２内にそれぞれ自動巻き取りする２つの自動巻取り機構８と、本体１の側面に設けられた導子コード６の巻き取りを開始させる巻取りスイッチ９と、各導子コード６が筐体２内に巻き取られるコード入口となる巻取り口部１１とを有する。また、自動巻取り機構８は、その内部にゼンマイバネ（図示なし）と、このゼンマイバネを固定し、かつ導子コード６を収納するリール状の巻取り板（図示なし）とを有している。この巻取り板は、回転機能を持ち、常に導子コード６を巻き取る方向に力が掛かる構造になっており、また、この巻き取りの回転を停止するための停止機構も有し、この停止機構は巻取りスイッチ９により外部から解除されるようになっている。
【００１８】
このような本体１の構成において、使用時に、導子コード６はＡ側、Ｂ側の両方またはいずれか一方から２本同時に引っ張り出されて最適な長さで使用される。そして、収納時には、本体１の側面にある巻取りスイッチ９の操作により、導子コード６はゼンマイバネにより巻き取られてコード巻取り機構８内に収納される。また、導子コード６には、導子コード６の先端に接続される導子４よりも手前に、成形樹脂等によるストッパ７が装着されている。この導子コード６に取り付けられたストッパ７は、筐体２内のコード巻取り機構８が導子コード６を巻取る際、筐体２の巻取り口部１１において、導子コード６のコード巻取り長さを位置決めする役割を果す。
【００１９】
図４、図５を参照して、導子コード６の巻取り口部１１の詳細について説明する。図４は、巻取り口部１１を筐体２の上面から見た図３のＣ部の拡大を示し、図５は、図４の巻取り口部１１の導子コード６の挿入側から見た側面を示す。これらの図において、巻取り口部１１は、周壁２１のＡ側、Ｂ側の各コーナ付近に位置し、導子コード６の引き出しをガイドする空洞のコード引出口２２と、このコード引出口２２の内側にあって導子コード６の通るＵ字型の入口溝２３とを有する。このＵ字型の入口溝２３は、導子コード６の通る付近において凸型の半円部２３ａを成している。また、操作板３は、操作板３上面から略直角に下方に突出する突出部３１を有し、この突出部３１は、筐体２上部が操作板３で覆われたとき入口溝２３に嵌合し、その先端部は凹型の半円３１ａを成している。この半円３１ａと半円２３ａとは、突出部３１と入口溝２３が嵌合されたときに略円形の貫通孔２３ｂを形成する。
【００２０】
上記巻取り口部１１においては、貫通孔２３ｂの直径ｄ１は、導子コード６の直径ｄ２と、導子コード６に装着される円筒形のストッパ７の外形の直径ｄ３との合計よりも小さく設計されている。従って、コードを巻き取っても、導子コード６はストッパ７の位置で止まるようになる。例えば、実際の例として、丸穴の貫通孔２３ｂの直径ｄ１を約３．６ｍｍ、導子コード６の線の直径ｄ２を約１．３ｍｍ、円筒形のストッパ７の断面の直径ｄ３を約３．０ｍｍとすると、ｄ１（３．６ｍｍ）＜ｄ２＋ｄ３（１．３ｍｍ＋３．０ｍｍ＝４．３ｍｍ）となり、導子コード６を必ずストッパ７の位置で止めることができる。また、これにより、コード収納時においても、ストッパ７により導子コード６を導子２から数ｃｍ残った状態にできる。
【００２１】
また、本体１は、収納時には、導子コード６を筐体２内に巻き取って、巻取り口部１１におけるストッパ７により導子コード６を止めた状態で、導子４と共に収納ケース５に収納される。このとき、導子４は、導子コード６を繋げたままで収納ケース５に収納され、その収納位置は、収納された筐体２の底面と収納ケース５の底面との間に収納される。このとき、収納時の導子コード６の巻取り口部１１からのコード残りの長さは、ストッパ７の位置で調整され、導子４を収納ケース５内に収納するために丁度よい長さとなるように好適に設定される。これにより、本体１及び導子４を収納ケース５に収納した状態において、導子コード６のコード残り長さが常に一定にでき、導子４をいつでも簡単に短時間で収納することができる。
【００２２】
このように本実施形態の低周波治療器１０によれば、導子コード６を巻き取る本体１とは別に、本体１と導子４を収納する収納ケース５を備え、対を成す導子４の一方の導子コード６にストッパ７を設けたことにより、本体１サイズを必要最小限に小型化できると共に、収納時に、導子４を収納ケース５に収納し易いように導子コード６のコード残りの長さを設定することができるので、簡単に導子４を収納することができる。
【００２３】
次に、本発明の第２の実施形態に係る低周波治療器について、図６を参照して説明する。本実施形態の低周波治療器１０は、前記第１の実施形態と基本的には同じ構成を成し、巻取り口部１１付近の本体１と収納ケース５との間に、収納時に導子コード６が入る隙間５４を備えたものである。
【００２４】
図６において、本体１の筐体２は、正面側の側面２１ａ及び裏面側の側面２１ｂと一体構成の底面２４を有する。また、収納ケース５は、筐体２の各側面２１ａ、２１ｂ、及び底面２４に対向する側面５１、５２と底面５３を備える。各導子４は、２個づつ対となって、互いの導子パッド４１を重ね合わせて、収納ケース５の底面５３に収納配置されている。筐体２の側面２１ａは、巻取り口部１１付近における底面２４とのコーナ部において、筐体２内にＬ型に凹んだ凹み部２５を有する。この凹み部２５は、側面２１ａとそれぞれ略直角、略平行を成し、Ｌ字型の側面を形成する側面２５ａと側面２５ｂで形成され、側面２５ａは幅ｄ４を有する。これにより、凹み部２５の側面２５ｂは、側面２１ａから側面２５ａの幅ｄ４だけ、側面２１ａから離れた位置に配設され、側面２５ｂと収納ケース５の側面５１との間に隙間５４が形成される。
【００２５】
また、本体１を収納ケース５に収納時には、筐体２の底面２４と収納ケース５の底面５３との間に、導子４を収納できるように間隔ｄ５の隙間が形成される。また、本体１と導子４を収納ケース５に収納時において、側面２５ｂの巻取り口部１１には、前記第１の実施形態と同様に導子コード６を通す貫通孔２３ｂが形成される。ここで、例えば、導子コード６の径を１．３ｍｍとし、ストッパ７の径を３．０ｍｍとした場合、ｄ４を約１０ｍｍ、ｄ５を約１５ｍｍ程度に設定すると、導子４の収納時に、導子コード６を無理なく湾曲させ収納ケース５と筐体２との間に挟むことなく収納することができる。
【００２６】
このように、本実施形態の低周波治療器１０によれば、導子コード６の巻取り口部１１付近の側面２１ａと底面２４とのコーナ部における筐体２内にＬ型の凹み部２５を備えたことにより、収納ケース５に本体１を収納した状態で導子コード６が入る隙間５４を形成することができる。これにより、収納ケース５に本体１と導子４を収納時に、導子コード６を収納ケース５と筐体２との間に挟むことなく収納することができる。
【００２７】
次に、上記第２の実施形態に係る低周波治療器の変形例について、図７を参照して説明する。本実施形態の低周波治療器１０は、前記第２の実施形態と基本的には同じ構成を成し、本体１の巻取り口部１１付近において、略水平面に対する筐体２の側壁２１ａの傾斜を、収納ケース５の側壁５１の傾斜に比べて小さくし、筐体２と収納ケース５との間に導子コード６が入る隙間５５を備えたものである。
【００２８】
図７において、筐体２における巻取り口部１１を有する側面２１ａは、水平面に対して筐体２の内側において傾斜角θ１を成し、収納ケース５における側壁５１は、水平面に対して収納ケース５の内側において傾斜角θ２を成し、傾斜角θ２は傾斜角θ１より大きく形成されている。これにより、筐体２の側面２１ａと収納ケース５の側壁５１との間には隙間５５が形成される。ここで、例えば、側面２１ａと側面５１との当たる位置と巻取り口部１１の貫通孔２３ｂとの間隔ｄ６を約１０ｍｍとし、傾斜角θ２を７５°、傾斜角θ１を４５°とした場合には、巻取り口部１１と収納ケース５との間隔ｄ７（巻取り口部１１より側壁５１に垂線を下ろした距離）は、ｄ７＝１０ｔａｎ３０°からｄ７は約６ｍｍとなる。これにより、前記実施形態と同様に、導子コード６の径ｄ２を１．３ｍｍ、ストッパ７の径ｄ３を３．０ｍｍとした場合、ｄ７（６ｍｍ）＞（ｄ２＋ｄ３）（４．３ｍｍ）より、導子４の収納時に、導子コード６を収納ケース５と筐体２との間に挟むことなく収納することができる。なお、本体１を収納した時に本体１の巻取り口部１１付近にコードが入るすき間を作る方法は上記以外のものでもよい。
【００２９】
次に、本発明の第３の実施形態に係る低周波治療器について、図８を参照して説明する。本実施形態の低周波治療器１０は、前記第１の実施形態と基本的には同じ構成を成し、収納ケース５は、本体１の巻取り口部１１（コード巻取り口）付近に切欠き部１２を有した点で異なる。
【００３０】
図８（ａ）において、収納ケース５は、本体１を収納した状態で、本体１に設けられた巻取り口部１１付近に対向する側壁５１の部分に切欠き部１２を備えている。これにより、収納ケース５と本体１とが嵌合した時に、巻取り口部１１からの導子コード６が収納ケース５の当たりそうな側壁５１の箇所が切り欠かれて空いている。従って、収納時に巻取り口部１１のコード出口から収納ケース５の切欠き部１２を通して筐体２の下にコードを曲げて収納でき、収納時に導子コード６が収納ケース５に挟まないようにできる。
【００３１】
このように、本実施形態の低周波治療器１０によれば、収納ケース５に、筐体２の巻取り口部１１付近に対向する切欠き部１２を備えたことにより、収納時に導子コード６を収納ケース５に挟まないようにできる。また、本体１を収納ケース５に収納したままでも導子コード６の引き出し／巻取りが可能となるので、本体１を収納ケース５に乗せたままでも使用できる。これにより、本体１を使用時に、収納ケース５を他の場所に置いておく必要がなくなり利便性が高まる。なお、収納ケース５に切欠きを作る方法は上記以外のものでもよい。
【００３２】
次に、本発明の第４の実施形態に係る低周波治療器について、図９を参照して説明する。本実施形態の低周波治療器１０は、前記第１の実施形態と基本的には同じ構成を成し、収納ケース５は、導子４を収納配置するリブ１３（位置決め機構）を備えた点で異なる。
【００３３】
図９（ａ）において、収納ケース５は、その底面５３において、２つの導子４を配置して位置決めするリブ１３を備える。このリブ１３は、導子４の導子パッド４１の先端側を位置決めするリブ１３ａと、導子４の接続端子部４２側における導子コード６の両側の２箇所で位置決めするリブ１３ｂとを有する。これにより、導子パッド４１がリブ１３ａ、１３ｂにより位置決めされて収納配置される。また、収納ケース５では、図９（ｂ）に示すように、２つの導子４は、収納ケース５において、収納ケース５の中心Ｌに対して対称に配置されて、図９（ｃ）に示すように、側面５１に切欠き部１２を有している。これにより、図９（ｄ）に示すように、導子４は、収納ケース５の決められた位置に配置され、本体１を収納した場合も、導子コード６は切欠き部１２により筐体２と収納ケース５に挟まれることなくスムーズに巻取り口部１１から巻き取られる。
【００３４】
このように、本実施形態の低周波治療器１０によれば、収納ケース５内に導子４を置く位置を決めるリブ１３を備えたことにより、収納時には、リブ１３で決められた位置に導子４を配置できるので、導子４の収納位置が常に一定となり、巻取り口部１１のストッパ７からの導子コード６の長さが一定に決められるので収納時にコードが絡んだり、かみ込んだりしない。また、収納ケース５が導子４のサイズに比べて大きい場合にも、収納ケース５内で導子４の位置の移動を防ぐことができ、巻取り口部１１のストッパ７からの導子コード６の長さの変動を抑えて一定にできるので、導子４を収納し易くなる。なお、収納ケース５につけるリブ１３の位置、形状などは上記以外でもよい。
【００３５】
次に、本発明の第５の実施形態に係る低周波治療器について、図１０を参照して説明する。本実施形態の低周波治療器１０は、前記第１の実施形態と基本的には同じ構成を成し、収納ケース５は、導子４を収納配置して接続端子部４２を配置するリブ１３（位置決め機構）を備え、本体１は、収納ケース５に収納されたときに接続端子部４２に対向する面を接続端子部４２と略同形状とした点で異なる。
【００３６】
図１０（ａ）、（ｃ）において、導子４は、導子パッド４１上に導子コード６と接続する山形状の接続端子部４２を有し、収納ケース５は、その底面５３に導子４を収納配置して接続端子部４２を配置するリブ１３（位置決め機構）を有する。また、筐体２は、側面２１ａ、２１ｃによる筐体２のコーナ部に筐体２内に凹む凹み部２６が形成され、この凹み部２６に巻取り口部１１が形成される。また、筐体２は、収納ケース５に収納されたときに、導子４の接続端子部４２に対向する底面２４の位置に接続端子部４２と略同形状の窪部２４ａを備えている。
【００３７】
上記構成において、筐体２に凹み部２６を設けたことにより、巻取り口部１１付近の筐体２と収納ケース５間に隙間ができ、巻取り口部１１からの導子コード６は、導子４の収納時に収納ケース５と筐体２に挟まれないようにできる。また、導子４は、リブ１３により収納ケース５の底面５３に収納配置され位置決めされ、同時に接続端子部４２の底面５３における収納位置も決定される。
【００３８】
また、筐体２の底面２４に位接続端子部４２と略同形状の窪部２４ａを形成したことにより、導子４が筐体２の底面２４の窪部２４ａと収納ケース５の底面５３の間に収納されたときに、導子４の接続端子部４２は、底面２４の窪部２４ａの中に収納されるので、筐体２の底面２４と収納ケース５の底面５３の間の間隔を短くすることができる。これにより、接続端子部４２は、通常、導子パッド４１よりも厚みが厚いので、収納時の治療器１０全体の高さを高くする要因となっていたが、窪み部２４ａに位接続端子部４２を収納することにより、収納ケース５の高さを低くし、治療器１０全体の高さを低くすることができる。また、リブ１３は、接続端子部４２を直接位置決めするものであってもよい。
【００３９】
このように、本実施形態の低周波治療器１０によれば、収納ケース５に導子４を収納配置して接続端子部４２を配置する位置決め用のリブ１３を設け、本体１において位置決めされた接続端子部４２に対向する底面２４に接続端子部４２と略同形状の窪部２４ａを設けたことにより、収納時の治療器１０の厚みを薄くすることができ、省スペース保管が可能となる。なお、収納ケースにつけるリブの位置、形状などは上記以外でもよい。
【００４０】
次に、上記第５の実施形態に係る低周波治療器の変形例について、図１１を参照して説明する。本実施形態の低周波治療器１０は、前記第５の実施形態と基本的には同じ構成を成し、収納時に導子４の接続端子部４２に対向する収納ケース５の底面５３にも接続端子部４２と略同形状の窪み部５３ａを形成したものである。
【００４１】
図１１において、本実施形態の低周波治療器１０は、筐体２の底面２４における接続端子部４２と略同形状の窪み部２４ａに加え、収納ケース５の底面５３において、導子４の接続端子部４２に対向する面に接続端子部４２と略同形状の窪み部５３ａを形成している。また、収納ケース５は、巻取り口部１１付近に切欠き部１２を有し、底面５３の裏側に支持脚５６を備えている。また、導子４は、収納ケース５に収納されるとき、対となる２つの導子４毎に各導子パッド４１面を重ねて一体として収納されている。そして、一方の導子４の接続端子部４２が収納ケース５の底面５３の窪み部５３ａに収納されて位置決めされ、筐体２が収納ケース５に収納されると、筐体２の窪み部２４ａが他方の導子４の接続端子部４２を内包する形で収納する。
【００４２】
このように、上記変形例によれば、２つの導子４の接続端子部４２が共に、収納ケース５及び筐体２のそれぞれの底面２４、５３の窪み部２４ａ、５３ａに収納されるので、筐体２と収納ケース５の間隔を極めて接近させて導子４を収納することができる。これにより、筐体２と収納ケース５の収納時の全体の高さを小さくでき、治療器１０を薄くすることができる。
【００４３】
上述した各種実施形態及びそれらの変形例に係る低周波治療器１０によれば、導子コード６を巻き取るコード巻取り機構８を備えた本体１と、この本体１とは別に本体１と導子４とを収納する収納ケース５を備えた低周波治療器において、導子コード６にコード巻取り機構８によるコード巻取り長さを位置決めするためのストッパ７を装着した。これにより、本体１のサイズを必要最小限にして、収納時には、コード巻取り後、導子コード６のコード残り長さを、収納ケース５に収納し易い一定の長さに設定することができるので、本体１と導子４を簡単に収納ケース５に収納することができる。
【００４４】
なお、本発明は、上記実施形態等に限られるものでなく、さらに適宜に変更することができる。例えば、本実施形態では、導子コードが４本の場合を示したがこれ以外の本数でも同様に適用される。また、ストッパは、導子コード上でストップ位置を固定できるものであれば材質は問わない。
【図面の簡単な説明】
【００４５】
【図１】本発明の第１の実施形態に係る低周波治療器の外観図。
【図２】上記低周波治療器の上面図。
【図３】上記低周波治療器の筐体の構成図。
【図４】上記低周波治療器の筐体の導子コードの巻取り口部を説明する図。
【図５】上記図４の側面図。
【図６】本発明の第２の実施形態に係る低周波治療器の構成図。
【図７】上記第２の実施形態の変形例の構成図。
【図８】（ａ）は本発明の第３の実施形態の構成図、（ｂ）は（ａ）の本体収納時の外観図。
【図９】（ａ）は本発明の第４の実施形態に係る低周波治療器の構成図、（ｂ）〜（ｄ）はそれぞれ（ａ）の正面側の内部側面図、正面側の側面図、及び側面側の内部側面図。
【図１０】（ａ）は本発明の第５の実施形態に係る低周波治療器の構成図、（ｂ）、（ｃ）はそれぞれ（ａ）の本体収納時の外観図及び内部側面図。
【図１１】上記第５の実施形態の変形例の構成図。
【符号の説明】
【００４６】
１  本体（治療器本体）
４  導子
５  収納ケース
６  導子コード
７  ストッパ
１０  低周波治療器
１１  巻取り口部（コード巻取り口）
１２  切欠き部
１３、１３ａ、１３ｂ  リブ（位置決め機構）
４２  接続端子部
５４  隙間
【図１】
0004609379.tif 000002
【図４】
0004609379.tif 000003
【図５】
0004609379.tif 000004
【図６】
0004609379.tif 000005
【図７】
0004609379.tif 000006
【図８】
0004609379.tif 000007
【図９】
0004609379.tif 000008
【図１０】
0004609379.tif 000009
【図１１】
0004609379.tif 000010
【図２】
0004609379.tif 000011
【図３】
0004609379.tif 000012